(57)【要約】【課題】多目的に活用できる汎用性の高い災害対応バッグの提供。【解決手段】本発明の災害対応バッグ１は、各種物品を収容可能な所定の空間を有する本体部２を有し、この本体部２は、その前面から上面を通って後面に至る両側面との境界部を線ファスナー３，３によって開閉自在に構成されている。また本体部２の前面２ａ側には、拡張シート７が連結されており、この拡張シート７には、その対辺を開閉自在な線ファスナー８が設けられている。この線ファスナー８により、拡張シート７を筒状に構成することができ、前記本体部２の線ファスナー３，３を操作して本体部２の前面２ａだけを開口させれば、拡張シートから本体部に連通する有底袋状の構造を得ることができる。また、本体部２と拡張シート７には、それぞれ持ち手５ａ，９ａが備えられている。【選択図】図１
2015126848.tif 000002
【特許請求の範囲】
【請求項１】
常時は各種物品を収容可能な所定の空間を有する本体部を有し、この本体部にその前面から上面を通って後面までを開閉自在に構成する第１の開閉手段を設けるとともに、この本体部の前面側に連なって常時は本体部内に収納可能な拡張シートを連結し、この拡張シートの対辺を連結して拡張シートを前記本体部の空間に連通する筒状に構成可能な第２の開閉手段を設けたことを特徴とする災害対応バッグ。
【請求項２】
本体部は６面で規定される略直方体形状であり、第１の開閉手段は本体部の前面・上面・後面の両側面との境界全長に渡って、それぞれ設けられた２本の線ファスナーであり、これらの線ファスナーのスライダは連結具で連結されていることを特徴とする請求項１に記載の災害対応バッグ。
【請求項３】
本体部と拡張シートそれぞれにベルトを設け、このベルトをアジャスタに通して常時は長さ調節可能な環状に構成し、必要に応じてアジャスタから解いて他部位に連結可能に構成したことを特徴とする請求項１または請求項２に記載の災害対応バッグ。
【請求項４】
本体部と拡張シートとを合わせた長さは、人が伸展姿勢で収まる長さに構成されていることを特徴とする請求項１ないし３の何れかに記載の災害対応バッグ。
【請求項５】
拡張シートの本体部と反対側の端部にドローコードを通し、このドローコードにより当該端部を絞れるように構成したことを特徴とする請求項１ないし４の何れかに記載の災害対応バッグ。
【請求項６】
拡張シートは、本体部の前面側の底面に連結され、常時は本体部内に収納可能であることを特徴とする請求項１ないし５の何れかに記載の災害対応バッグ。
【請求項７】
柔軟性のある薄型の災害対応敷物類を常時収容しておくことを特徴とする請求項１ないし６の何れかに記載の災害対応バッグ。
【発明の詳細な説明】
【技術分野】
【０００１】  本発明は、災害が発生した時などに多目的に活用できる災害対応バッグに関する。
【背景技術】
【０００２】  従来、災害対応バッグに類するものとしては、特許文献１に記載の防災用カバンや特許文献２に記載の救助用バッグが知られている。特許文献１に記載の防災用カバンは、カバンの２辺全部と１辺の一部がファスナーで開放できるようになったものであり、災害時にはファスナーで各辺を開放することにより防災頭巾に転用できるように構成したものである。また、特許文献２に記載の救助用バッグは、災害場所で用いる工具を収容しておく工具収納袋を、展開時に担架として用いるように構成したものである。
【先行技術文献】
【特許文献】
【０００３】
【特許文献１】  特開２００７−３７６０２号公報
【特許文献２】  特開２００９−２６８６６１号公報
【発明の概要】
【発明が解決しようとする課題】
【０００４】  災害発生時などの非常時には、あまり多くの物品を持ち出すことが難しいことから、災害対策用品にはできるだけ多くの用途に転用できる機能が求められる。しかしながら、特許文献１に記載の防災用カバンおよび特許文献２に記載の救助用バッグの何れも、防災頭巾あるいは担架として使用しか想定されていないものであり、非常時の汎用性が非常に低いものであった。また、特許文献２の救助用バッグにおいては、担架として使用する場合に要救助者を乗せるための２次元平面しか提供することができず、担架で要救助者を運ぶために常に複数の要員を必要とする等の問題があった。
【課題を解決するための手段】
【０００５】  本発明は上述の課題を解決するべく、多目的に活用できる汎用性の高い災害対応バッグを提供することを目的とする。この目的を達成するために本発明は、常時は各種物品を収容可能な所定の空間を有する本体部を有し、この本体部にその前面から上面を通って後面までを開閉自在に構成する第１の開閉手段を設けるとともに、この本体部の前面側に連なって常時は本体部内に収納可能な拡張シートを連結し、この拡張シートの対辺を連結して拡張シートを前記本体部の空間に連通する筒状に構成可能な第２の開閉手段を設けたことを特徴とするものである。【０００６】  なお、前記本体部は６面で規定される略直方体形状であり、第１の開閉手段は本体部の前面・上面・後面の両側面との境界全長に渡って、それぞれ設けられた２本の線ファスナーであり、これらの線ファスナーのスライダは連結具で連結されていることが望ましい。また、本体部と拡張シートそれぞれにベルトを設け、このベルトをアジャスタに通して常時は長さ調節可能な環状に構成し、必要に応じてアジャスタから解いて他部位に連結可能に構成することが望ましい。さらに、本体部と拡張シートとを合わせた長さは、人が伸展姿勢で収まる長さに構成されていることが望ましい。また、拡張シートの本体部と反対側の端部にドローコードを通し、このドローコードにより当該端部を絞れるように構成することが望ましい。また、拡張シートは、本体部の前面側の底面に連結され、常時は本体部内に収納可能であることが望ましい。さらに、柔軟性のある薄型の災害対応敷物類を常時収容しておくことが望ましい。
【発明の効果】
【０００７】  本発明の災害対応バッグは、通常のバッグ・鞄として用いることは勿論、防災頭巾、寝袋、防寒具、防水服、防火服、担架、背負子と様々な形態で利用することができる。第１・第２の開閉手段により本体部と拡張シートのそれぞれを連通させた状態で有底の袋状に構成できるため、利用者の体温低下を防ぎ、担架や背負子として使用する場合には被搬送者の落下等を防止することもできる。また、本体部を略直方体形状とし、その両側面と前面・上面・後面との境界全長を線ファスナーで開閉自在に成しているため、開口部を大きく取ることができ、使用時の装着性を高めることができる等の利点がある。また、それら線ファスナーのスライダは連結具で連結されており、連結具を操作することで２本の線ファスナーを同時に開け閉めできることから操作性も高くなっている。さらに、本体部と拡張シートの各ベルトはアジャスタによって長さ調節可能、かつ互いに連結することが可能であるため、被搬送者を腰掛けた姿勢で載せられる背負子とすることも可能であり、周囲に支援者がなく被搬送者を一人で運ぶ必要に迫られた場合にも、これに対応することができ、また被搬送者および搬送者双方の負担も軽減できる等の利点がある。
【図面の簡単な説明】
【０００８】
【図１】本発明に係る災害対応バッグの斜視図である。
【図２】本発明に係る災害対応バッグの斜視図である。
【図３】本発明に係る災害対応バッグの使用例を示す斜視図である。
【図４】本発明に係る災害対応バッグの使用例を示す斜視図である。
【図５】本発明に係る災害対応バッグの使用例を示す斜視図である。
【発明を実施するための形態】
【０００９】  以下、図面に基づいて本発明の災害対応バッグの実施形態を説明する。図１ないし図５において、１は災害対応バッグであり、バリスティックナイロン等の切り裂き強度や耐摩耗性能の優れた材質の布地を縫製して構成されている。この災害対応バッグ１は、所定の空間容積を持つ直方体形状の本体部２を有し、この本体部２の前面２ａ・上面２ｂ・後面２ｃの両側面２ｄ，２ｅとの境界部分には、その全長に渡って第１の開閉手段の一例である線ファスナー３，３が設けられており、この線ファスナー３，３のスライダ３ａ，３ａを操作することにより、前面２ａ・上面２ｂ・後面２ｃの間を自由に開口または閉止することが可能になっている。これら２つの線ファスナー３，３のスライダ３ａ，３ａは、連結具の一例である紐４によって連結されており、この紐４を操作することにより２つのスライダ３ａ，３ａを一緒に往復移動させることが可能になっている。また本体部２には、その中央部分外側の底面２ｆから側面２ｄ，２ｅにかけて２本のベルト５，５が縫い付けられており、このベルト５は本体部２の両側部でコキ等のアジャスタ６に通され、長さ調節が可能な環状に構成されている。この部分が本体部２の持ち手５ａ，５ａを構成する。
【００１０】  前記本体部２の底面２ｆ前部には、拡張シート７が取り付けられている。この拡張シート７は、本体部２と同様の素材によって矩形状（長方形状）に構成されており、常時は、図２に示すように折り畳んだり巻いたりして本体部２内に収容されている。本体部２の内部には、折り畳むなどして本体部内に収容された拡張シート７を結束・固定しておくための結束ベルト等（図示せず）を設けておくとよい。この拡張シート７の長辺には第２の開閉手段の一例である線ファスナー８が設けられており、この線ファスナー８で長辺を結束することにより、拡張シート７を本体部２前方に延びる筒状に構成することが可能になっている。
【００１１】  前記拡張シート７には、その短手方向に延びてベルト９，９が取り付けられている。このベルト９の拡張シート７に縫い付けられずに余った部分は持ち手９ａ，９ａを構成しており、前記ベルト５同様、このベルト９の持ち手部分もアジャスタ１０を介して長さを調節可能に構成されている。各持ち手９ａ，９ａは、拡張シート７を筒状に成した時、その両側方に突出するようになっている。また、拡張シート７における自由端、すなわち本体部２に取り付けられている辺の対辺部は紐通し口に加工されており、ここにはドローコード１１が通されている。このドローコード１１を操作することにより、当該自由端部分を絞ることができるようになっている。なお、本例では絞り操作の利便性を高めるためにドローコード１１の両端にコードロック１２が配してあり、このコードロック１２をドローコード１１に沿って移動させることにより、簡単に拡張シート７の辺を絞り込むことができるようになっている。
【００１２】  本災害対応バッグ１は、常時は拡張シート７を折り畳むなどして内部に収納しておくことで普通の鞄として使用できる。災害発生時のことを想定すると、ウレタン製の防災備蓄畳やマット等の柔軟性のある災害対応敷物類、非常用寝具・衣類、あるいは他の災害対策用品を収納しておく用に供するのが最適である。本例における災害対応バッグ１は、特に近年需要が高まっている半畳サイズのウレタン製防災備蓄畳の収容鞄として使用することを前提に生み出されたものであり、本体部２の長手方向の長さは丸めた複数枚の防災備蓄畳を十分に収められる長さ（約１００ｃｍ）と容積に構成され、また拡張シート７は、本体部２から引き出して展開した状態で、防災備蓄畳と同程度の面積となるように構成してある。
【００１３】  本災害対応バッグ１は、上述のような普通の鞄として使用する以外にも、多目的に活用できるものである。例えば図３に示すように、線ファスナー３，３を解いて本体部２の前面２ａから上面２ｂまでを開口させ、自由になった前面２ａと上面２ｂの布地を本体部２内に納めてかぶれば、防災頭巾として利用できる。防災備蓄畳を本体部２内に納めてかぶれば、防災備蓄畳の緩衝性を利用して防御能力を高めることもできる。勿論、その場合には避難先等で防災備蓄畳を取り出して敷物として用いることができる。また、前述のような防災頭巾としての利用形態において、拡張シート７を本体部２から引き出して身体に巻き付ければ、利用者の全身を覆うことができる。これにより、頭部だけでなく全身を保護することが可能になるとともに、簡易的な防寒具や防水服、あるいは防火服として利用することもできる。
【００１４】  また本災害対応バッグ１は、本体部２から拡張シート７を引き出して展開（図１参照）し、各線ファスナー３，８を閉止することにより、図４に示すように、利用者が伸展姿勢（足を伸ばした体勢）で十分に収まり得る全長２００ｃｍ弱の長尺有底の袋体と成すことができ、これを寝袋や担架として活用することができる。この時、拡張シート７から本体部２までを連通させるために本体部２の前面２ａは開いた状態となり、結果、前面２ａ部分に相当する布地が余ることとなるが、これを面ファスナー１３，１３等を利用して拡張シート７に連結することにより、拡張シート７と本体部２の境界部分に生じる隙間を極力減らすことができる。また、ドローコード１１とコードロック１２を操作して拡張シート７の短辺を絞ることで、首元の隙間も減らすことができる。
【００１５】  前述のように本災害対応バッグ１を寝袋や担架として用いる場合においても、本体部２と拡張シート７内に防災備蓄畳を丸めて入れておけば、それぞれの用途において緩衝性（クッション性）を担保することができる。また、担架として用いる場合には、本体部２および拡張シート７それぞれに持ち手５ａ，９ａが備わっているため、担架を運ぶ要員にとって作業性が高い。しかも、要救助者の全身を本体部２および拡張シート７で包むことができるため、足場の悪い場所でも要救助者が担架から落ちるといった事故を防止し、かつ気温が低い場合にも要救助者の体温低下を防ぐことが可能である。
【００１６】  担架を運ぶための要員が確保できない場合には、ベルト９，９の長さを調節することにより本災害対応バッグ１を背負い、これによって要救助者を搬送することもできる。このように災害対応バッグを背負子として用いる場合には、ベルト５，５を一旦アジャスタ６から解き、ベルト９，９をくぐらせて再度アジャスタ６にセットして長さを調節することにより、図５に示すように、災害対応バッグ１を椅子の形の背負子と成すことができる。このように設定することで要救助者を腰掛けた姿勢で背負うことが可能となり、救助を行う者、要救助者双方の負担を軽減できる。このように背負子として用いる場合にも、要救助者の全身を本体部２および拡張シート７で包むことができるため、要救助者の転落や体温低下等を防ぐことができる。
【００１７】  なお、以上の説明において拡張シート７は１枚のシート状のものを想定して説明したが、２枚のシートを重合して三辺を縫合した袋状のものであってもよい。これにより、拡張シート７に防災備蓄畳を広げたまま収容することが可能となり、前述のように防災頭巾、寝袋、担架、背負子等として用いる場合の緩衝性能を高めることができる。また、本体部２および拡張シート７に防水透湿性素材と保温起毛素材とを重合した裏地を設けておけば、本災害対応バッグの有する保温性を高めることができる。さらに、第１・第２の開閉手段の一例として線ファスナーを例に説明したが、面ファスナーやボタン等の他の手段を採用してもよい。
【符号の説明】
【００１８】  １      災害対応バッグ
２      本体部
２ａ    前面
２ｂ    上面
２ｃ    後面
２ｄ，２ｅ    側面
２ｆ    底面
３      線ファスナー
３ａ    スライダ
４      紐
５      ベルト
５ａ    持ち手
６      アジャスタ
７      拡張シート
８      線ファスナー
９      ベルト
９ａ    持ち手
１０      アジャスタ
１１      ドローコード
１２      コードロック
１３      面ファスナー
【図１】
2015126848.tif 000003
【図２】
2015126848.tif 000004
【図３】
2015126848.tif 000005
【図４】
2015126848.tif 000006
【図５】
2015126848.tif 000007